(57)【特許請求の範囲】
【請求項１】
一対の側壁部及び一対の対向壁部を有すると共にこの側壁部及び対向壁部により建物内外を連通する通路を画成する枠手段と、一方の側壁部から他方の側壁部まで伸びて通路に回転自在に配された羽根部材を有する羽根手段と、羽根手段を回転させて当該羽根手段により通路の開閉を行わせる回転力を発生する回転力発生手段と、この回転力発生手段で発生された回転力を羽根手段に伝達する伝達手段とを具備しており、羽根部材は、当該羽根部材による通路の全開状態で、通路の閉塞方向に自由回転可能になっていると共に通路の空気流によって通路を閉塞する方向の回転モーメントを生じるように、通路の一方の開口部側でその一方の自由端と一方の対向壁部との間の距離がその一方の自由端と他方の対向壁部との間の距離よりも短く、通路の他方の開口部側でその他方の自由端と他方の対向壁部との間の距離がその他方の自由端と一方の対向壁部との間の距離よりも短くなるように、通路に配されており、羽根手段は、羽根部材に固着されていると共に側壁部に回転自在に支持されて一方の側壁部を貫通して当該一方の側壁部の外壁面から突出する軸を具備しており、伝達手段は、一方の側壁部の外壁面から突出する軸に連結されていると共に羽根手段の自由回動を許容する間欠ギヤ手段を有しており、間欠ギヤ手段で規定される羽根手段の自由回動範囲は、羽根部材による通路の全開から全閉までに亘っており、間欠ギヤ手段は、回転力発生手段の出力回転軸に固着された平歯車と、羽根手段の軸の一端部に回転自在に支持された歯車と、羽根手段の軸の一端部に固着された係合体とを具備しており、歯車は、平歯車に噛合う平歯車部と、平歯車部に一体形成されていると共に内周面に一定角度範囲の円弧状の切欠きを有した筒部とを具備しており、係合体は、羽根手段の軸の一端部に固着された円筒部と、この円筒部に一体的に形成されていると共に切欠きに配された突条部とを具備している換気装置。
【請求項２】
羽根部材は、当該羽根部材による通路の全開状態で通路の空気流によって通路を閉塞する方向の回転モーメントを生じるように、滑らかな面と、この滑らかな面の各裏側に配された凹凸な面とを有している請求項１に記載の換気装置。
【請求項３】
羽根部材は、滑らかな面及び凹凸な面の夫々を一対有しており、一対の滑らかな面の一方は、羽根部材の一方の自由端から羽根部材の中央部まで伸びており、一対の凹凸な面の一方は、一対の滑らかな面の一方と連続して羽根部材の中央部から羽根部材の他方の自由端まで伸びており、一対の滑らかな面の他方は、羽根部材の他方の自由端から羽根部材の中央部まで伸びており、一対の凹凸な面の他方は、一対の滑らかな面の他方と連続して羽根部材の中央部から羽根部材の一方の自由端まで伸びている請求項２に記載の換気装置。
【請求項４】
羽根部材による通路の全開状態で、一対の滑らかな面及び一対の凹凸な面の夫々の一方は、一方の対向壁部に対面しており、一対の滑らかな面及び一対の凹凸な面の夫々の他方は、他方の対向壁部に対面している請求項３に記載の換気装置。
【請求項５】
一対の側壁部及び一対の対向壁部を有すると共にこの側壁部及び対向壁部により建物内外を連通する通路を画成する枠手段と、一方の側壁部から他方の側壁部まで伸びて通路に回転自在に配された羽根部材を有する羽根手段と、羽根手段を回転させて当該羽根手段により通路の開閉を行わせる回転力を発生する回転力発生手段と、この回転力発生手段で発生された回転力を羽根手段に伝達する伝達手段とを具備しており、羽根部材は、当該羽根部材による通路の全開状態で通路の閉塞方向に自由回転可能になっていると共に通路の空気流によって羽根部材に通路を閉塞する方向の回転モーメントを生じるように、滑らかな面とこの滑らかな面の裏側に凹凸面とを有しており、羽根手段は、羽根部材に固着されていると共に側壁部に回転自在に支持されて一方の側壁部を貫通して当該一方の側壁部の外壁面から突出する軸を具備しており、伝達手段は、一方の側壁部の外壁面から突出する軸に連結されていると共に羽根手段の自由回動を許容する間欠ギヤ手段を有しており、間欠ギヤ手段で規定される羽根手段の自由回動範囲は、羽根部材による通路の全開から全閉までに亘っており、間欠ギヤ手段は、回転力発生手段の出力回転軸に固着された平歯車と、羽根手段の軸の一端部に回転自在に支持された歯車と、羽根手段の軸の一端部に固着された係合体とを具備しており、歯車は、平歯車に噛合う平歯車部と、平歯車部に一体形成されていると共に内周面に一定角度範囲の円弧状の切欠きを有した筒部とを具備しており、係合体は、羽根手段の軸の一端部に固着された円筒部と、この円筒部に一体的に形成されていると共に切欠きに配された突条部とを具備している換気装置。
【請求項６】
羽根部材は、滑らかな面及び凹凸な面の夫々を一対有しており、一対の滑らかな面の一方は、羽根部材の一方の自由端から羽根部材の中央部まで伸びており、一対の凹凸な面の一方は、一対の滑らかな面の一方と連続して羽根部材の中央部から羽根部材の他方の自由端まで伸びており、一対の滑らかな面の他方は、羽根部材の他方の自由端から羽根部材の中央部まで伸びており、一対の凹凸な面の他方は、一対の滑らかな面の他方と連続して羽根部材の中央部から羽根部材の一方の自由端まで伸びている請求項５に記載の換気装置。
【請求項７】
羽根手段は、通路を全開する方向に回転モーメントを生じるように、その回転軸心に対して偏心した位置に重心を有している請求項１から６のいずれか一項に記載の換気装置。
【請求項８】
羽根手段は、羽根部材の重心の位置をその回転軸心に対して偏心させる重錘を有している請求項７に記載の換気装置。
【請求項９】
回転力発生手段は、チューブラモータを具備している請求項１から８のいずれか一項に記載の換気装置。
【請求項１０】
通路は、建物外壁に設けられた窓枠に形成された開口部に連通するようになっている請求項１から９のいずれか一項に記載の換気装置。
【発明の詳細な説明】
【０００１】
【発明の属する技術分野】
本発明は、ビル等の建物において窓枠等に形成される開口部に取付けられる換気装置に関する。
【０００２】
【発明が解決しようとする課題】
この種の換気装置としては、実開昭６３−１７３４８８号公報等に記載されたものが知られているが、いずれもヒンジ機構を介して窓枠等に回動自在に閉塞板を取付け、換気の際には、閉塞板のヒンジ機構を介する回動により開口部を開放するようにしている。
【０００３】
ところで、上記のような公報記載の換気装置では、開口部の開放の際に、閉塞板が建物の内部側、すなわち室内側に回動されて内部側に大きく張り出し、結果として、閉塞板の張り出し用のスペースを多く必要とし、加えて、閉塞板がその一縁側でのみヒンジ機構に支えられた、いわゆる片持ち支持であるため、強風時等において、外気側の閉塞板の面に強力な風圧（正又は負圧）が加わると、閉塞板がその自由端側でばたついて、不快なばたつき音等が発生したり、ここから強風が内部に導入される虞を有する上に、外部が負圧時において換気のために閉塞板を回動する場合、その回動抵抗が極めて大きく、初期回動が容易に行い得ない場合がある。
【０００４】
そこで、通路を横断した羽根部材を両端で回転自在に支持して、この羽根部材の回転軸心と同軸に配された出力回転軸を具備した電動モータでもって回転させるようにした換気装置が提案されているが、斯かる換気装置では、上記の問題を好ましく解決し得るが、通路を開放している場合に建物外で強風が生じると、この強風が通路を介して建物内に吹き出す虞がある。斯かる強風に基づく吹き出しは、建物内の作業者又は居住者に不快感を与えると共に埃及び場合により吹き出しに伴った砂塵等を建物内に舞い上げる一方、強風による上記のような吹き出しの阻止は、電動モータの作動による羽根部材の回転に基づく通路の閉塞では間に合わない場合があり、しかも、強風は突発的に生じるのでその予測が困難であって、予め電動モータを作動させることも行い難い。
【０００５】
本発明は、前記諸点に鑑みてなされたものであって、その目的とするところは、建物外で強風が生じた場合にもこの強風に基づいて通路の閉塞を直ちに行い得、建物内の作業者又は居住者の不快感を可能な限り少なくできると共に強風に基づく埃及び砂塵等の建物内での舞い上がりを最小限にし得る換気装置を提供することにある。
【０００６】
【課題を解決するための手段】
本発明の第一の態様の換気装置は、一対の側壁部及び一対の対向壁部を有すると共にこの側壁部及び対向壁部により建物内外を連通する通路を画成する枠手段と、一方の側壁部から他方の側壁部まで伸びて通路に回転自在に配された羽根部材を有する羽根手段とを具備しており、ここで、羽根部材は、当該羽根部材による通路の全開状態で、通路の閉塞方向に自由回転可能になっていると共に通路の空気流によって通路を閉塞する方向の回転モーメントを生じるように、通路の一方の開口部側でその一方の自由端と一方の対向壁部との間の距離がその一方の自由端と他方の対向壁部との間の距離よりも短く、通路の他方の開口部側でその他方の自由端と他方の対向壁部との間の距離がその他方の自由端と一方の対向壁部との間の距離よりも短くなるように、通路に配されている。
【０００７】
第一の態様の換気装置では、羽根部材による通路の全開状態で、通路の一方の開口部側で羽根部材の一方の自由端と一方の対向壁部との間の距離が羽根部材の一方の自由端と他方の対向壁部との間の距離よりも短く、通路の他方の開口部側で羽根部材の他方の自由端と他方の対向壁部との間の距離が羽根部材の他方の自由端と一方の対向壁部との間の距離よりも短くなるように羽根部材が通路に配されて、当該羽根部材は、通路の全開状態で各間での空気流の流速差によって通路を閉塞する方向の回転モーメントを生じるようになっているために、例えば、建物外で突発的に強風が生じた場合にもこの強風に基づいて通路の閉塞を直ちに行い得て、この突発的な強風による空気流の建物内への流入を阻止でき、而して、建物内の作業者又は居住者の不快感を可能な限り少なくできると共に強風に基づく埃及び砂塵等の建物内での舞い上がりを最小限にし得る。
【０００８】
本発明では好ましくはその第二の態様の換気装置のように、羽根手段は、当該羽根部材による通路の全開状態で通路の空気流によって通路を閉塞する方向の回転モーメントを生じるように、滑らかな面とこの滑らかな面の各裏側に配された凹凸な面とを有している。
【０００９】
第二の態様の換気装置のように、羽根部材が滑らかな面とこの滑らかな面の各裏側に配された凹凸な面とを有していると、羽根部材は、滑らかな面側を流れる空気の圧力と凹凸な面側を流れる空気の圧力との間に差異を生じさせることができる結果、通路を閉塞する方向の回転モーメントをより大きくでき、突発的な強風による空気流の建物内への流入をより確実に迅速に阻止できる。
【００１０】
第二の態様の換気装置において、好ましくは本発明の第三の態様の換気装置のように、羽根部材は、滑らかな面及び凹凸な面の夫々を一対有しており、一対の滑らかな面の一方は、羽根部材の一方の自由端から羽根部材の中央部まで伸びており、一対の凹凸な面の一方は、一対の滑らかな面の一方と連続して羽根部材の中央部から羽根部材の他方の自由端まで伸びており、一対の滑らかな面の他方は、羽根部材の他方の自由端から羽根部材の中央部まで伸びており、一対の凹凸な面の他方は、一対の滑らかな面の他方と連続して羽根部材の中央部から羽根部材の一方の自由端まで伸びており、ここで、好ましくは本発明の第四の態様の換気装置のように、羽根部材による通路の全開状態で、一対の滑らかな面及び一対の凹凸な面の夫々の一方は、一方の対向壁部に対面しており、一対の滑らかな面及び一対の凹凸な面の夫々の他方は、他方の対向壁部に対面している。
【００１１】
本発明の第五の態様の換気装置は、一対の側壁部及び一対の対向壁部を有すると共にこの側壁部及び対向壁部により建物内外を連通する通路を画成する枠手段と、一方の側壁部から他方の側壁部まで伸びて通路に回転自在に配された羽根部材を有する羽根手段とを具備しており、羽根部材は、当該羽根部材による通路の全開状態で通路の閉塞方向に自由回転可能になっていると共に通路の空気流によって羽根部材に通路を閉塞する方向の回転モーメントを生じるように、滑らかな面とこの滑らかな面の裏側に凹凸面とを有している。
【００１２】
第四の態様の換気装置によれば、羽根部材が滑らかな面とこの滑らかな面の各裏側に配された凹凸な面とを有しているために、羽根部材は、滑らかな面側を流れる空気の圧力と凹凸な面側を流れる空気の圧力との間に差異を生じさせることができる結果、通路を閉塞する方向の回転モーメントを通路の空気流によって自身に生じ、例えば、建物外で突発的に強風が生じた場合にもこの強風に基づいて通路の閉塞を直ちに行い得て、この突発的な強風による空気流の建物内への流入をより確実に迅速に阻止でき、而して、建物内の作業者又は居住者の不快感を可能な限り少なくできると共に強風に基づく埃及び砂塵等の建物内での舞い上がりを最小限にし得る。
【００１３】
第五の態様の換気装置でも、本発明の第六の態様の換気装置のように、羽根部材は、滑らかな面及び凹凸な面の夫々を一対有しており、一対の滑らかな面の一方は、羽根部材の一方の自由端から羽根部材の中央部まで伸びており、一対の凹凸な面の一方は、一対の滑らかな面の一方と連続して羽根部材の中央部から羽根部材の他方の自由端まで伸びており、一対の滑らかな面の他方は、羽根部材の他方の自由端から羽根部材の中央部まで伸びており、一対の凹凸な面の他方は、一対の滑らかな面の他方と連続して羽根部材の中央部から羽根部材の一方の自由端まで伸びているとよい。
【００１４】
本発明の第七の態様の換気装置では、上記のいずれかの態様の換気装置において、羽根手段は、通路を全開する方向に羽根部材に回転モーメントを生じるように、その回転軸心に対して偏心した位置に重心を有しており、ここで、好ましくは本発明の第八の態様の換気装置のように、羽根手段は、羽根部材の重心の位置をその回転軸心に対して偏心させる重錘を有しているとよい。
【００１５】
本発明の第九の態様の換気装置は、上記のいずれかの態様の換気装置において、羽根手段を回転させて当該羽根手段により通路の開閉を行わせる回転力を発生する回転力発生手段と、この回転力発生手段で発生された回転力を羽根手段に伝達する伝達手段とを更に具備しており、ここで、羽根手段は、羽根部材に固着されていると共に側壁部に回転自在に支持されて一方の側壁部を貫通して当該一方の側壁部の外壁面から突出する軸を具備しており、伝達手段は、一方の側壁部の外壁面から突出する軸に連結されていると共に羽根手段の自由回動を許容する間欠ギヤ手段を有している。
【００１６】
第九の態様の換気装置において、間欠ギヤ手段で規定される羽根手段の自由回動範囲は、好ましくは本発明の第十の態様の換気装置のように、通路の全開から全閉までに亘っている。
【００１７】
本発明においては、回転力発生手段は、好ましい例では少なくとも電動モータを具備しており、特に、本発明の第十一の態様の換気装置のように、回転力発生手段がチューブラモータを具備していると、一方の側壁部と他方の側壁部との間に斯かるチューブラモータをコンパクトに配することができる。
【００１８】
本発明の換気装置は、建物内外を連通する通路を介して換気するものに適用されるのであるが、斯かる通路は、好ましくは、本発明の第十二の態様の換気装置のように、建物外壁に設けられた窓枠に形成された開口部に連通するようになっている。
【００１９】
更に本発明の換気装置における回転力発生手段は、電動モータ、特にチューブラモータに加えて、又はこれに代えて、手動で回転し得るレバー等を有していてもよく、また、チューブラモータを含む回転力発生手段の電動モータを商用電源からの電力で駆動してもよいが、これに代えて又はこれと共に太陽電池、蓄電池等からの電力で駆動してもよい。
【００２０】
次に本発明及びその実施の形態を、図に示す好ましい例に基づいて更に詳細に説明する。なお、本発明はこれら例に何等限定されないのである。
【００２１】
【発明の実施の形態】
図１から図３において、本例の換気装置１は、一対の左右の側壁部２及び３並びに一対の対向壁部としての中空の横長の上壁部１１及び下壁部１２を有すると共に側壁部２及び３並びに上壁部１１及び下壁部１２により建物内外４及び５を連通する通路６を画成する枠手段７と、側壁部２から側壁部３まで長く伸びて通路６に回転自在に配された羽根部材２７を有する羽根手段８と、羽根手段８をＡ及びＢ方向に回転させて当該羽根手段８により通路６の開閉を行わせる回転力を発生する回転力発生手段９と、回転力発生手段９で発生された回転力を羽根手段８に伝達する伝達手段１０とを具備している。
【００２２】
通路６は、建物外壁に設けられた窓枠（図示せず）に形成された開口部に連通するようになっている。
【００２３】
枠手段７の上壁部１１及び下壁部１２の夫々には、ゴム等の弾性材からなると共に側壁部２から側壁部３まで伸びたシール部材１３及び１４が嵌着されている。
【００２４】
羽根手段８は、羽根部材２７に加えて、両端部２１及び２２で一対の側壁部２及び３の夫々に転がり軸受２３及び２４を介して回転軸心Ｏ１を中心としてＡ及びＢ方向に回転自在に支持されていると共に一方の側壁部３を貫通して当該一方の側壁部３の外壁面２５から外部に突出する一端部２２を有した軸２６を具備している。
【００２５】
羽根部材２７は、中央部の軸部６３と、軸部６３に一体であって軸部６３から放射方向に伸びた羽根部６１及び６２とを具備しており、軸部６３において軸２６に固着されていると共に側壁部２から側壁部３まで伸びて通路６を横断するように横長に形成されていると共に、通路６を全開するＢ方向の回転モーメントをその自重により常に生じるべく、その回転軸心Ｏ１に対して偏心した位置に重心Ｇを有するように本例では羽根部６１に対して羽根部６２の長さが短くなって形成されている。また、羽根部材２７は、当該羽根部材２７による通路６の全開状態、即ち、図１に示す状態で、通路６の空気流によって通路６を閉塞するＡ方向の回転モーメントを生じるべく、通路６の開口部５２側で一方の自由端である羽根部６１の端部４５と上壁部１１との間の距離Ｌ１が端部４５と下壁部１２との間の距離Ｌ２よりも短く、通路６の開口部５１側で他方の自由端である羽根部６２の端部４６と下壁部１２との間の距離Ｌ３が端部４６と上壁部１１との間の距離Ｌ４よりも短くなるように、通路６に配されている。
【００２６】
また本例の羽根部材２７は、当該羽根部材２７による通路６の全開状態で通路６の空気流によって通路６を閉塞するＡ方向の回転モーメントを生じるべく、一対の滑らかな面３７及び３８と、滑らかな面３７及び３８の各裏側に配された一対の凹凸な面３９及び４０とを有している。滑らかな面３７は、羽根部材２７の羽根部６１の端部４５から羽根部材２７の中央部である軸部６３まで伸びており、凹凸な面４０は、滑らかな面３７と連続して軸部６３から羽根部材２７の羽根部６２の端部４６まで伸びており、滑らかな面３８は、端部４６から軸部６３まで伸びており、凹凸な面３９は、滑らかな面３８と連続して軸部６３から端部４５まで伸びており、羽根部材２７による通路６の全開状態で、滑らかな面３７及び凹凸な面４０は上壁部１１に対面しており、滑らかな面３８及び凹凸な面３９は下壁部１２に対面している。
【００２７】
回転力発生手段９は、側壁部３を貫通する出力回転軸３１と、出力回転軸３１を回転させると共に側壁部２と側壁部３との間において下壁部１２内に配されている筒型の駆動本体３２とを有した電動モータとしてのチューブラモータ３３を具備しており、出力回転軸３１は、転がり軸受３４を介して側壁部３に回転軸心Ｏ１に対して偏心した回転軸心Ｏ２を有して回転自在に支持されており、駆動本体３２は、下壁部１２に固定、支持されている。
【００２８】
伝達手段１０は、側壁部３の外壁面２５から突出する軸２６に連結されていると共に羽根手段８のＡ及びＢ方向の一定範囲の自由回動を許容する間欠ギヤ手段６５を有しており、間欠ギヤ手段６５は、出力回転軸３１に固着された平歯車４２と、軸２６の一端部２２に転がり軸受６６を介して回転自在に支持された歯車６７と、軸２６の一端部２２に固着された係合体６８とを具備しており、歯車６７は、平歯車４２に噛合う平歯車部４１と、平歯車部４１に一体形成されていると共に内周面に一定角度範囲の円弧状の切欠き７０を有した筒部７１とを具備しており、係合体６８は、軸２６の一端部２２に固着された円筒部７２と、円筒部７２に一体的に形成されていると共に切欠き７０に配された突起部７３とを具備している。
【００２９】
伝達手段１０は、出力回転軸３１の回転を平歯車４２から平歯車部４１に減速して伝達し、平歯車部４１の回転を筒部７１の突起部７３への当接を介して軸２６に伝達し、而して、出力回転軸３１の回転を羽根手段８に伝達するようになっている。
【００３０】
以上の換気装置１では、図１に示す通路６の開放状態又は通路６の途中開放状態でチューブラモータ３３が作動されない場合には、建物内外４及び５の気圧差に基づいて建物内外４及び５に対して通路６を介して給排気が行われて、新鮮な建物外５の空気が建物内４に供給され、汚染された建物内４の空気が建物外５に排出されて、而して建物内４は自然換気される。
【００３１】
そして、図１に示す通路６の開放状態では、切欠き７０に配された突起部７３が切欠き７０を規定する筒部７１の一方の側面７５に当接又は近接する一方、切欠き７０を規定する筒部７１の他方の側面７６から十分に離れて、係合体６８が切欠き７０の範囲内においてＡ方向に自由回動自在になっている結果、羽根部材２７は、当該羽根部材２７による通路６の全開状態で通路６の閉塞方向に自由回転可能になっているために、斯かる通路６の開放状態で建物外５で突発的な強風が吹いて通路６を介して建物内４に強風が吹き込もうとすると、通路６を通る高速空気流に基づく羽根部材２７に生じる揚力により当該羽根部材２７がＡ方向に回転され図４に示す回転状態にされて、通路６は羽根部材２７により閉塞されるようになる。突発的な強風が止むと、通路６を通る高速空気流に基づく羽根部材２７に生じる揚力が弱まり、羽根部６１と羽根部６２との重量差に基づく重心Ｇの回転軸心Ｏ１に対する偏心により羽根部材２７がＢ方向に回転され図１に示す回転状態にされて、通路６は開放されるようになる。
【００３２】
開口部５１から開口部５２に向かう通路６の空気流がそれ程高速でない場合も、その空気流速に対応して羽根部材２７に生じる揚力により当該羽根部材２７が通路６を閉塞しない程度にＡ方向に回転される結果、通路６は、開口部５１から開口部５２に向かう通路６の空気流速に応じてその開度を調節されるようになっている。間欠ギヤ手段６５の切欠き７０で規定される羽根手段８の自由回動範囲は、上記のように通路６の全開から全閉までに亘っていてもよいが、通路６の全開から途中開放（途中閉塞）まででもよい。
【００３３】
換気を希望しない場合又は建物外５で強風が継続する場合等において、人手によるスイッチの作動又は強風を検出する検出器の検出結果により、チューブラモータ３３の駆動本体３２が作動されてその出力回転軸３１及び平歯車４２を介して平歯車部４１がＡ方向に回転されると、筒部７１の側面７５が突起部７３に当接して、平歯車部４１の回転と共に円筒部７２が回転されて、これにより羽根部材２７がＡ方向に回転されると、通路６は徐々に閉塞され始め、図４に示すように羽根部材２７の端部４５がシール部材１３に、羽根部材２７の端部４６がシール部材１４に夫々当接すると、通路６が閉塞状態となって建物内外４及び５に対する通路６を介する給排気が行われなくなり、強風が建物内４に吹き込むことが防止される。羽根部材２７が図４に示す通路６を閉塞した状態になると、これを検出する検出器（図示せず）からの検出結果によりチューブラモータ３３の駆動本体３２の作動が停止される。
【００３４】
換気を希望する場合又は強風が止んだ後に、人手によるスイッチの作動又は強風を検出する検出器の検出結果により、チューブラモータ３３の駆動本体３２が作動されてその出力回転軸３１及び平歯車４２を介して平歯車部４１がＢ方向に回転されると、筒部７１もＢ方向に回転されて係合体６８もＢ方向に回転可能となる結果、羽根部材２７は、重心Ｇの回転軸心Ｏ１に対する偏心により平歯車部４１のＢ方向の回転につれて同じくＢ方向に回転されて、最後に図１に示す回転状態にされて、通路６は開放されるようになる。羽根部材２７が図１に示す通路６を開放した状態になると、これを検出する検出器（図示せず）からの検出結果によりチューブラモータ３３の駆動本体３２の作動が停止される。
【００３５】
換気装置１では、距離Ｌ１が距離Ｌ２よりも短く、距離Ｌ３が距離Ｌ４よりも短くなるように羽根部材２７が通路６に配されて、端部４５と上壁部１１との間の通路幅を端部４５と下壁部１２との間の通路幅よりも狭くすると共に、端部４６と下壁部１２との間の通路幅を端部４６と上壁部１１との間の通路幅よりも狭くし、これにより、端部４５と上壁部１１との間の通路６を流れる空気の流速を端部４５と下壁部１２との間の通路６を流れる空気の流速よりも早くすると共に、端部４６と下壁部１２との間の通路６を流れる空気の流速を端部４６と上壁部１１との間の通路を流れる空気の流速よりも早くして、通路６の全開状態での各間での通路６の空気流速の差によって羽根部材２７に通路６を閉塞するＡ方向の回転モーメントを生じさせるようになっているために、例えば、建物外５で突発的に強風が生じた場合にもこの強風に基づいて通路６の閉塞を直ちに行い得て、この突発的な強風による空気流の建物内４への流入を阻止でき、而して、建物内４の作業者又は居住者の不快感を可能な限り少なくできると共に強風に基づく埃及び砂塵等の建物内での舞い上がりを最小限にし得る。
【００３６】
また換気装置１のように、羽根部材２７が滑らかな面３８及び３７と滑らかな面３８及び３７の各裏側に配された凹凸な面３９及び４０とを有しているために、滑らかな面３８及び３７側を流れる空気の圧力と凹凸な面３９及び４０側を流れる空気の圧力との間に差異を生じさせることができる結果、羽根部材２７に通路６を閉塞するＡ方向の回転モーメントをより大きく生じさせることができ、突発的な強風による空気流の建物内４への流入をより確実に迅速に阻止できる。
【００３７】
更に換気装置１によれば、回転力発生手段９がチューブラモータ３３を具備して、チューブラモータ３３の駆動本体３２が羽根手段８と平行となるように側壁部２と側壁部３との間に配されているために、羽根手段８の回転軸心Ｏ１とチューブラモータ３３の出力回転軸３１の回転軸心Ｏ２との直線状の配置を回避できて、空間の有効な利用を図り得、占有スペースを小さくすることができ、しかも、伝達手段１０における加速、減速を容易に行うことができ、特に、本例のように減速を行うように伝達手段１０が構成されていると、端部４５及び４６のシール部材１３及び１４への夫々の当接を大きな力で行うことができて、通路６を水密、気密性をもって確実にしっかりと閉塞することができる上に、出力トルク及びサイズの小さいチューブラモータ３３を用いることができ、斯かる観点からも占有スペースを小さくすることができる。
【００３８】
以上の換気装置１では、前後の開口部５１及び５２を有して前後方向（水平方向）において開口する通路６を画成する枠手段７を用いたが、これに代えて、図５に示すように、上下の開口部５３及び５４を有して上下方向（垂直方向）において開口する通路６を画成する枠本体５５を具備した枠手段７を用いてもよく、図５に示す枠本体５５は、側壁部２及び３を具備すると共に上壁部１１及び下壁部１２に代えて一対の対向壁部として中空の前後壁部５６及び５７を具備しており、前後壁部５６及び５７の夫々にシール部材１３及び１４が嵌着されており、チューブラモータ３３の駆動本体３２は、側壁部２と側壁部３との間において後壁部５７内に配されて、当該後壁部５７に固定、支持されている。
【００３９】
図５に示す枠手段７は、枠本体５５に加えて、枠本体５５の下面に固着された案内枠５８を具備しており、案内枠５８は、上の開口部５３で建物内４に開口する通路６の下の開口部５４に連通すると共に前方において建物外５に開口した案内通路５９を画成している。案内枠５８において通路６の開口部５４に連通する部位には防塵網６０が装着されており、斯かる防塵網６０と同等の防塵網を防鳥網を兼ねて建物外５に開口する前開口部７４に装着してもよい。
【００４０】
また図１に示す換気装置１では、断面においてほぼ真直ぐに伸びた形状を有した羽根部材２７を用いたが、これに代えて、図５に示すように、回転軸心Ｏ１を中心としてほぼ点対称に形成されていると共に通路６の開口部５４から開口部５３に向かう通路６の空気流によって揚力が生じて通路６を閉塞するＡ方向の回転力が生じるように夫々湾曲された中空の羽根部６１及び６２と、羽根部６１及び６２が一体的に形成されていると共に軸２６が挿着、固定された軸部６３とを具備した羽根部材６４を用い、更に、羽根部材６４による通路６の全開状態、即ち、図５に示す状態で、通路６の空気流によって羽根部材６４に通路６を閉塞する方向、即ちＡ方向の回転モーメントを生じさせるように、通路６の開口部５３側で羽根部材６４の自由端である羽根部６２の端部７８と後壁部５７との間の距離Ｌ１が端部７８と前壁部５６との間の距離Ｌ２よりも短く、通路６の開口部５４側で羽根部材６４の自由端である羽根部６１の端部７７と前壁部５６との間の距離Ｌ３が端部７７と後壁部５７との間Ｌ４の距離よりも短くなるように、通路６に羽根部材６４が配されていてもよく、この場合、羽根部６２に対して羽根部６１を長く形成して、羽根手段８がその回転軸心Ｏ１に対して偏心した位置に重心Ｇを有するようにし、これにより、羽根手段８にはＡ方向の回転と逆のＢ方向の回転がその自重により常に生じるようにすると共に図６及び図７に示すように、羽根手段８のＡ及びＢ方向の一定範囲の自由回動を許容する間欠ギヤ手段６５を有して伝達手段１０を構成してもよい。
【００４１】
図５から図７に示す換気装置１によっても、建物外５で強風が生じた場合にもこの強風に基づいて通路６の閉塞を直ちに行い得、建物内４の作業者又は居住者の不快感を可能な限り少なくできると共に強風に基づく埃及び砂塵等の建物内４での舞い上がりを最小限にし得る。
【００４２】
また、図５から図７に示す換気装置１においても、羽根部材６４の回転軸心Ｏ１と出力回転軸３１の回転軸心Ｏ２との直線状の配置を回避できて、チューブラモータ３３の設置位置の自由度を増大できて、空間の有効利用を図ることができ、しかも、本例のように減速を行うように伝達手段１０が構成されていると、羽根部６１及び６２の夫々の端部７７及び７８のシール部材１３及び１４への夫々の当接を大きな力で行うことができて、通路６を水密、気密性をもって確実にしっかりと閉塞することができる上に、出力トルク及びサイズの小さいチューブラモータ３３を用いることができ、斯かる観点からも占有スペースを小さくすることができる。
【００４３】
また、回転軸心Ｏ１に対して偏心した位置に重心Ｇを有するように羽根手段８を構成する場合に、羽根部６２に対して羽根部６１を長く形成する代わりに、図９に示すように、羽根部６１及び羽根部６２に複数の円柱状の空所９１を形成し、羽根部６１の必要個数の空所９１に重錘として棒状芯線部材９２を嵌入、嵌合して、これにより、羽根手段８にはＡ方向の回転と逆のＢ方向の回転が常に生じるように、羽根部材６１の重心Ｇの位置をその回転軸心Ｏ１に対して偏心した位置にしてもよい。図９に示すように羽根手段８を構成すると、棒状芯線部材９２が嵌入、嵌合された空所９１を増減することにより羽根手段８の重心Ｇの位置を調節できて、而して、最適な位置に重心Ｇを容易に設定できる。
【００４４】
【発明の効果】
本発明によれば、建物外で強風が生じた場合にもこの強風に基づいて通路の閉塞を直ちに行い得、建物内の作業者又は居住者の不快感を可能な限り少なくできると共に強風に基づく埃及び砂塵等の建物内での舞い上がりを最小限にし得る換気装置を提供することができる。
【図面の簡単な説明】
【図１】本発明の実施の形態の好ましい一例であって、図２に示すＩ−Ｉ線矢視断面図である。
【図２】図１に示す例のＩＩ−ＩＩ線矢視断面図である。
【図３】図２に示すＩＩＩ−ＩＩＩ線矢視図である。
【図４】図１に示す例の動作説明図である。
【図５】本発明の実施の形態の好ましい他の例の断面説明図である。
【図６】図５に示す例の一部説明図である。
【図７】図６に示すＶＩＩ−ＶＩＩ線矢視図である。
【図８】図５に示す例の動作説明図である。
【図９】本発明の実施の形態の好ましい更に他の例の説明図である。
【符号の説明】
１  換気装置
２、３  側壁部
４  建物内
５  建物外
６  通路
７  枠手段
８  羽根手段
９  回転力発生手段
１０  伝達手段
【図１】
0003988484.tif 000002
【図２】
0003988484.tif 000003
【図３】
0003988484.tif 000004
【図４】
0003988484.tif 000005
【図５】
0003988484.tif 000006
【図６】
0003988484.tif 000007
【図７】
0003988484.tif 000008
【図８】
0003988484.tif 000009
【図９】
0003988484.tif 000010